【手続補正書】
【提出日】平成19年7月30日(2007.7.30)
【手続補正１】
【補正対象書類名】明細書
【補正対象項目名】００１２
【補正方法】変更
【補正の内容】
【００１２】
以下、本システムを使用して、「週刊Ｄ１１号」と題された雑誌を構成するコンテンツのうち、「対談」と題された記事について伝票を発行する際の手順をフローチャートを用いて説明する。
図２は、伝票発行作業の流れを示すフローチャートである。以下ステップ毎に順を追って説明する。
【手続補正２】
【補正対象書類名】明細書
【補正対象項目名】００１３
【補正方法】変更
【補正の内容】
【００１３】
（ステップＳ１：台割表表示）
伝票を発行するユーザ（例えば、編集担当者等）は、モニタ装置２０に雑誌「週刊Ｄ１１号」の台割表を表示させる。
図３は、台割表を示す図である。
台割表１は、雑誌の設計図に相当し、雑誌「週刊Ｄ１１号」を構成するコンテンツの一覧を表示するものである。この台割表１は、本システムの他にも、通常の雑誌作成の進行管理を行う際に利用されるものである。
この台割表１に基づいて編集される「週刊Ｄ１１号」は、各ページのサイズが、例えばＡ４サイズとされ、ハガキを除く部分のページ数が合計２５６ページからなる中綴の雑誌である。
【手続補正３】
【補正対象書類名】明細書
【補正対象項目名】００１４
【補正方法】変更
【補正の内容】
【００１４】
台割表１は、雑誌名表示領域２、折丁表示領域３、コンテンツ表示領域４を備えている。
雑誌名表示領域２は、表示画面の上部であって左右方向に帯状に延在して設けられており、図３に示すように雑誌名（「週刊Ｄ１１号」）が表示されている。
折丁表示領域３は、「週刊Ｄ１１号」を構成する折丁を表示する領域であり、複数の矩形の領域３ａが表示画面の左右方向の略中央部分において上下方向に折丁ごとに配置されている。この折丁表示領域３に配置された矩形の領域３ａには、各折丁の印刷方法（オフセット印刷、グラビア印刷等）、折丁名等が表示されている。
【手続補正４】
【補正対象書類名】明細書
【補正対象項目名】００１５
【補正方法】変更
【補正の内容】
【００１５】
コンテンツ表示領域４は、折丁表示領域３を境に表示画面の左右部分に設けられ、折丁表示領域３と同様な複数の矩形の領域４ａによって構成されている。この矩形の領域４ａは、ひとつにつき「週刊Ｄ１１号」の１ページごとの内容を表示している。また、領域４ａは、コンテンツが複数のページにわたる場合には、隣り合う他の領域４ａと結合して表示される。
コンテンツ表示領域４は、折丁表示領域３より右側の領域に１〜１２８ページ目、左側の領域に１２９〜２５６ページ目の内容を表示している（３１〜２２６ページは、図示を省略する）。また、コンテンツ表示領域部４を構成する個々の矩形の領域４ａは、ページ番号が記載される領域、及び、この領域より下部に記事、広告等のコンテンツのタイトル、ページ数、編集担当者等が表示される領域を備えている。
【手続補正５】
【補正対象書類名】明細書
【補正対象項目名】００１６
【補正方法】変更
【補正の内容】
【００１６】
「対談」は、折丁２Ｒに印刷される記事である。折丁表示領域３の折丁２Ｒの欄には、「グラビア」、「４×４」と表示されており、これらは、それぞれ「グラビア印刷」、「４色刷り」を意味している。
この折丁２Ｒは、両面に印刷がされた、例えばＡ１サイズの１枚の紙を３回２つ折りにすることによってＡ４サイズにした後に裁断されるものであり、そのページ数は、合計１６ページとなっている。なお、折丁２Ｒは、「対談」が掲載されるページ以外の他のページ（１５〜１６ページ及び２３５〜２４２ページ）にも他の記事、広告等が印刷される。
「対談」は、「週刊Ｄ１１号」において、１７〜２２ページに配置される６ページからなる記事であり、その編集担当者は、「田中」及び「池田」の両名であることが台割表に表示されている。
【手続補正６】
【補正対象書類名】明細書
【補正対象項目名】００２０
【補正方法】変更
【補正の内容】
【００２０】
ＣＰＵ１２は、これらの属性データを参照して、図４に示すように伝票イメージの「発注先の名称」の欄に発注先の名称（ＤＮ企画社）を、「掲載号」の欄に「対談」が掲載される印刷物のタイトル（週刊Ｄ１１号）を、「企画タイトル」の欄にコンテンツのタイトル（対談）を、「担当者名」の欄に担当者名（田中、池田）を、「納期」の欄に記事の納期（２００５年１２月３日）を、「支払期日」の欄に支払期日（２００６年１月３１日）を、「金額」の欄に後述するページ数とページあたりの単価のデータとを掛けた値（６０，０００円）を、「頁数」の欄にページ数（６）を、「頁単価」の欄に頁単価（１０，０００円）をそれぞれ表示する。
【手続補正７】
【補正対象書類名】明細書
【補正対象項目名】００２３
【補正方法】変更
【補正の内容】
【００２３】
（ステップ８：確認画面表示）
ＣＰＵ１２は、伝票が印刷されると図５に示すような、伝票発行状況確認画面（以下、「確認画面」という）をモニタ装置２０に表示させる。
この確認画面は、「週刊Ｄ１１号」に掲載される記事の一覧を表示しており、ＣＰＵ１２は、伝票の発行された記事に網掛けを行うことによって、この記事と他の伝票の発行がされていない記事とをユーザが識別できるようにモニタ装置２０に表示する。
また、例えば１ページに２つの記事が、それぞれ０．５ページ分掲載されており、これらの一方にのみ発注伝票を発行した場合、ＣＰＵ１２は、確認画面の網掛けの色、種類を異なるものとし、いずれのコンテンツに対して伝票が発行されたかを識別可能に表示する。その他にも、例えば１ページに記事と広告とが、それぞれ０．５ページ分掲載されているような場合にも同様に表示する。
【手続補正８】
【補正対象書類名】明細書
【補正対象項目名】００２５
【補正方法】変更
【補正の内容】
【００２５】
次に、本発明を適用した印刷物の製作支援システム雑誌の実施例２について説明する。
なお、前述した実施例１と同様な機能を果たす部分には、同一の符号を付して、重複する説明や図面を適宜省略する。
実施例２のシステムは、実施例１の台割表に代えて、「編集テーマ一覧」と称される表がモニタ装置２０に表示され、これに基づいて伝票の発行を行うものである。
図６は、編集テーマ一覧を示す図である。
編集テーマ一覧は、「週刊Ｄ１１号」のコンテンツである記事及び広告のうち、記事の一覧を表示するものである。編集テーマ一覧は、表示画面の上下方向（行方向）、左右方向（列方向）に複数の矩形の領域を備えている。この編集テーマ一覧は、一行ごとに番号が付されて記事名が割り当てられており、列方向にこれらの記事名に対応する折丁名、ページ数、デスク（編集責任者）、担当者等が表示されている。
【手続補正９】
【補正対象書類名】図面
【補正対象項目名】図３
【補正方法】変更
【補正の内容】
【図３】
2007072834.tif 000001
【手続補正１０】
【補正対象書類名】図面
【補正対象項目名】図４
【補正方法】変更
【補正の内容】
【図４】
2007072834.tif 000002
【手続補正１１】
【補正対象書類名】図面
【補正対象項目名】図５
【補正方法】変更
【補正の内容】
【図５】
2007072834.tif 000003
【手続補正１２】
【補正対象書類名】図面
【補正対象項目名】図６
【補正方法】変更
【補正の内容】
【図６】
2007072834.tif 000004